(57)【要約】【課題】フィルタと撮像素子との間隔を大きくとることができるとともに、合成樹脂膜製のフィルタを使用した場合であっても、台座に対する接着によって歪みが生じないようにしたフィルタ付カメラモジュールの提供。【解決手段】撮像素子２３が配設された基板２２の上面に下端面が固定される中空リング状の基台部２０ａと、その基台部上に一体形成され、内部にレンズユニット２１が螺合される雌ネジ２０ｃを一体に有するレンズユニット支持部２０ｂと、そのレンズユニット支持部内の底部に内向きフランジ状に形成され、中央部分に透光用窓孔を有する中間棚部２５とを一体に有するカメラモジュール用台座２０を備え、中間棚部２５のレンズユニット支持部側の面に、雌ネジ２０ｃの螺旋ピッチと同じか又はそれ以下のピッチに傾斜させた複数の螺旋傾斜面２８を一体に備え、その各螺旋傾斜面の最上部に接着剤２９を介して合成樹脂性のフィルタ２７を固着させる。【選択図】図１
2010028699.tif 000002
【特許請求の範囲】
【請求項１】
撮像素子が配設された基板の上面に下端面が固定される中空リング状の基台部と、該基台部上に一体形成され、内部にレンズユニットが螺合される雌ネジを一体に有するレンズユニット支持部と、前記レンズユニット支持部内の底部に内向きフランジ状に形成され、中央部分に透光用窓孔を有する中間棚部とを一体に有するカメラモジュール用台座を備え、前記基台部の下端を、撮像素子を保持させた基板に固定してなるフィルタ付カメラモジュールにおいて、
前記中間棚部のレンズユニット支持部側の面に、前記雌ネジの螺旋ピッチと同じか又はそれ以下のピッチに傾斜させた複数の螺旋傾斜面を一体に備え、その各螺旋傾斜面の最上部に接着剤を介して合成樹脂性のフィルタを固着させたことを特徴としてなるフィルタ付カメラモジュール。
【請求項２】
フィルタはＰＥＴシートに遮光膜をコーティングしたものである請求項１に記載のフィルタ付カメラモジュール。
【請求項３】
前記接着剤は、熱硬化性の合成樹脂材である請求項1又は２の何れか１に記載のフィルタ付キメラモジュール。
【発明の詳細な説明】
【技術分野】
【０００１】
本発明は、携帯電話機や携帯端末機などに用いられるフィルタ付のカメラモジュールに関する。
【背景技術】
【０００２】
従来のカメラモジュールは、例えば図５、図６に示すように、撮像素子１が配設された回路基板（以下単に基板という。）２上に台座３が接着剤を使用して固着され、その台座３にレンズユニット４が保持されている。
【０００３】
台座３は四角リング状をした基台部３ａの上に円筒状をしたレンズユニット支持部３ｂが一体に形成され、レンズユニット支持部３ｂの内底部には、内向きのフランジ状に中間棚部３ｃが形成され、その中間棚部３ｃの中央部分に、撮像光が透過する透光用窓孔３ｄが開口されている。
【０００４】
レンズユニット４は、円筒状をなし、外周に雄ネジが形成されたバレル４ａと、該バレル４ａ内に組み込まれたレンズ群４ｂとから構成されており、バレル４ａを台座のレンズユニット支持部３ｂの内面の雌ネジに螺合させることによって台座３に保持させるようにしている。
【０００５】
レンズユニット４と撮像素子１との間には、撮像光を透過させて、赤外線等の特定波長の光を遮断するためや、撮像素子からの有害電磁波が外部に漏れるのを遮断するためのフィルタ５が介在されており、従来は、前述した中間棚部３ｃの下面、即ち撮像素子１側に接着剤を使用して固着されている（例えば特許文献１参照）。
【０００６】
この中間棚部３ｃに対するフィルタ５の固着は、フィルタ５の表面の全周が接着剤によって接着されていた。
【特許文献１】特開２００６−２２９９２２号公報
【発明の開示】
【発明が解決しようとする課題】
【０００７】
上述した従来のフィルタ付カメラモジュールにおいては、フィルタ素材にガラス板が使用されていたため、その製造やカメラモジュール内の組み込み作業に際しての強度を維持するために一定以上の厚さを必要とし、そのためにカメラモジュールの小型化に限界があった。また、組み立て操作時等の取り扱い時に壊れやすいという問題があった。
【０００８】
更に、フィルタを中間棚部の下側に固着すると、撮像素子に近くなり、フィルタの傷や付着している埃が、撮影される画像に大きく影響を及ぼすという問題があった。
【０００９】
近年において、フィルタ素材にＰＥＴ（ポリエチレンテレフタレート）フィルムが使用されつつあるが、このような合成樹脂素材を使用する場合には、従来のガラス素材のフィルタのように、全周面を接着剤にて接着させると、フィルタに歪みが生じ好ましくないという問題がある。
【００１０】
本発明はこのような従来の問題に鑑み、撮像素子からの間隔を大きくとることができるとともに、合成樹脂膜製のフィルタを使用した場合であっても、台座に対する接着によって歪みが生じないようにしたフィルタ付カメラモジュールの提供を目的としてなされたものである。
【課題を解決するための手段】
【００１１】
上述した従来の問題を解決し、所期の目的を達成するための請求項１に記載の発明の特徴は、撮像素子が配設された基板の上面に下端面が固定される中空リング状の基台部と、該基台部上に一体形成され、内部にレンズユニットが螺合される雌ネジを一体に有するレンズユニット支持部と、前記レンズユニット支持部内の底部に内向きフランジ状に形成され、中央部分に透光用窓孔を有する中間棚部とを一体に有するカメラモジュール用台座を備え、前記基台部の下端を、撮像素子を保持させた基板に固定してなるフィルタ付カメラモジュールにおいて、前記中間棚部のレンズユニット支持部側の面に、前記雌ネジの螺旋ピッチと同じか又はそれ以下のピッチに傾斜させた複数の螺旋傾斜面を一体に備え、その各螺旋傾斜面の最上部に接着剤を介して合成樹脂性のフィルタを固着させたことにある。
【００１２】
請求項２に記載の発明の特徴は、請求項１の構成に加え、フィルタはＰＥＴシートに遮光膜をコーティングしたものであることにある。
【００１３】
請求項３に記載の発明の特徴は、請求項１又は２の何れか１の請求項の構成に加え、前記接着剤は、熱硬化性の合成樹脂材であることにある。
【発明の効果】
【００１４】
上述の如く、本発明に係るフィルタ付カメラモジュールでは、レンズユニットが螺合される雌ネジを一体に有するレンズユニット支持部と、前記レンズユニット支持部内の底部に内向きフランジ状に形成され、中央部分に透光用窓孔を有する中間棚部を有するカメラモジュール用台座に対してフィルタを固定するに際し、前記中間棚部のレンズユニット支持部側の面に、前記雌ネジの螺旋ピッチと同じか又はそれ以下のピッチに傾斜させた複数の螺旋傾斜面を一体に備え、その各螺旋傾斜面の最上部に接着剤を介して合成樹脂性のフィルタを固着させたことにより、フィルタの接着を点接着の状態となすことができ、接着剤の使用によって歪みが生じやすい合成樹脂膜製のフィルタであっても歪を生じさせることなく固着することができる。
【００１５】
また、フィルタの台座に対する固定を中間棚板部のレンズユニット側の面としているため、その反対側の面に固着したものに比べて撮像素子との間隔を大きくとることができ、フィルタに付着した微細な埃や傷が撮影される映像に対する影響を少なくすることができる。
【００１６】
また、中間棚部の上面に傾斜面を形成し、その傾斜の最上側の端部上に点接着させるようにしたことにより、加熱時には流動性が高くなる熱硬化性樹脂からなる接着剤を使用した場合にあっても、接着剤は傾斜面に沿って下側に流れ、フィルタ下面に沿って広がることがなくなり、ＰＥＴなどの合成樹脂性で厚みの小さいフィルタを、歪を生じさせない所望の点接着状態に固着させることができる。
【００１７】
また、レンズユニット支持部の内周面の雌ネジの螺旋ピッチと同じか又はそれ以下のピッチに傾斜させた傾斜面をフィルタ点接着用の支持台としていることにより、台座をモールド成型する際に、レンズユニット支持部の内周面の雌ネジ成型する固定金型によって傾斜面を同時に形成することができ、中間棚部の上面側へフィルタを点接着させるための支持台が容易に成型できる。
【発明を実施するための最良の形態】
【００１８】
次に、本発明に係るフィルタ付カメラモジュールを実施するための最良の形態を、図１〜図４に示す実施例を参照して詳細に説明する。図１は本発明に係るカメラモジュールを示しており、図において符号２０は台座である。この台座２０は、四角リング状をした基台部２０ａと、その上に連続した配置の円筒状をしたレンズユニット支持部２０ｂとから構成されている。
【００１９】
レンズユニット支持部２０b内にはレンズユニット２１が装着されている。レンズユニット２１は円筒状をしたバレル２１ａ内に複数枚のレンズ２１ｂが装着されており、外周面には雄ネジが形成され、レンズユニット支持部２０ｂの内周面に形成されている雌ネジ２０ｃに螺合され、所定の位置高さ位置に固定されている。
【００２０】
台座２０は、基台部２０aの下端面が回路基板（以下単に基板という）２２の上面に接着剤をもって固着されている。基板２２の上面には回路パターン（図示せず）に接続させて撮像素子２３が固着されている。
【００２１】
台座２０内のレンズユニット支持部２０ｂの内底部には、内向きのフランジ状に中間棚部２５が一体に形成されている。この中間棚部２５の内周側がレンズユニット２１を透過した撮像光が通過する透光用窓孔２６となっている。
【００２２】
中間棚部２５の上面、即ちレンズユニット２１側の面には、フィルタ２７固定されている。このフィルタ２７は、図には詳示してないが、ＰＥＴ製のフィルムに遮光膜を塗布した合成樹脂性のフィルタ材が使用されている。
【００２３】
このフィルタ２７は、中間棚部２５の上面に熱硬化性樹脂からなる接着剤によってその周縁部の複数個所にて点接着されている。この点接着は、中間棚部２５の上面、即ちレンズユニット支持部側の面に、該４個の螺旋傾斜面２８，２８……を一体に備え、その各螺旋傾斜面２８の最上部に接着剤２９を介してフィルタ２７を固着させている。
【００２４】
この螺旋状の傾斜面２８は、フィルタ２７を台座２０の中間棚部２５に対して点接着させるための支持台を構成させるためのものであり、この傾斜面の最上部側の端部に熱可塑性樹脂製の接着剤２９を点状に置き、その上にフィルタ２７を載せ、加熱することにより接着剤が固化してフィルタ２７が傾斜面最上部側の端部に点接着させるようにしている。
【００２５】
このように中間棚部２５の上面に傾斜面を形成し、その傾斜の最上側の端部上に点接着させるようにしたことにより、接着剤として加熱時には流動性が高くなる熱硬化性樹脂を使用した場合にあっても、接着剤２９は傾斜面に沿って下側に流れ、フィルタ下面に沿って広がることがなくなり、ＰＥＴ製で厚みの小さいフィルタ２８を、歪を生じさせない接着状態で固着させることができる。
【００２６】
また、レンズユニット支持部２０ｂの内周面の雌ネジ２０ｃの螺旋ピッチと同じか又はそれ以下のピッチに傾斜させた傾斜面２８をフィルタ２７点接着用の支持台としていることにより、図４に示すように固定金型３０と可動金型３１によって台座２０をモールド成型する際に、レンズユニット支持部２０ｂの内周面の雌ネジ２０ｃを成型する固定金型３０によって傾斜面２８を同時に形成することができる。即ち、雌ネジ２０ｃ部分を金型３０から抜き取る際に、傾斜面２８が雌ネジ２０ｃ同ピッチかそれ以下のピッチであるため、金型の雄ネジ３０ａ部分に対して製品を回転させて抜き取る際に、傾斜面２８が抜き取り時の障害とならず、スムーズな抜き取りが可能となる。
【図面の簡単な説明】
【００２７】
【図１】本発明に係るフィルタ付カメラモジュールの一実施例を示す縦断面図である。
【図２】同上のカメラモジュールにおける台座の平面図である。
【図３】図１に示すカメラモジュールの分解斜視図である。
【図４】図１に示すカメラモジュールの台座のモールド成型状態を示す縦断面図である。
【図５】従来のフィルタ付カメラモジュールの縦断面図である。
【図６】同上の平面図である。
【符号の説明】
【００２８】
２０  台座
２０ａ  基台部
２０ｂ  レンズユニット支持部
２０ｃ  雌ネジ
２１  レンズユニット
２１ａ  バレル
２１ｂ  レンズ
２２  基板
２３  撮像素子
２５  中間棚部
２６  透光用窓孔
２７  フィルタ
２８  螺旋傾斜面
２９  接着剤
３０  固定金型
３１  可動金型
【図１】
2010028699.tif 000003
【図２】
2010028699.tif 000004
【図３】
2010028699.tif 000005
【図４】
2010028699.tif 000006
【図５】
2010028699.tif 000007
【図６】
2010028699.tif 000008